(57)【特許請求の範囲】
【請求項１】
第１の映像信号に基づく平面画像と、予め用意された信号変換によらない真性立体視用信号を含む第２の映像信号に基づく立体視可能な画像とを、同一画面内で表示するよう合成する合成部と、
前記合成部が合成した映像を表示するための制御信号を入力する制御部と、を具備し、
前記第２の映像信号に基づく前記立体視可能な画像は、起動時、あるいは前記第１の映像信号の入力開始時、もしくは前記第１の映像信号への入力切り替え時、または前記第１の映像信号からの入力切り換え時に、前記第１の映像信号に基づく平面画像と、前記合成部により合成される映像出力装置。
【請求項２】
映像を表示する表示部をさらに具備する請求項１に記載の映像出力装置。
【請求項３】
入力信号をそのまま再生する第１の映像信号を取得し、
予め用意された信号変換によらない真性立体視用信号を含む、立体視可能な第２の映像信号を、第１の映像信号と同一映像として表示可能に、第１の映像信号と合成して第３の映像信号を生成し、
起動時、あるいは前記第１の映像信号の入力開始時、もしくは前記第１の映像信号への入力切り替え時、または前記第１の映像信号からの入力切り換え時、または選択指示を受けつけた場合に、合成した第３の映像信号に基づく映像信号を出力する、表示方法。
【請求項４】
映像を表示する表示部と、
前記表示部が表示する映像を、第１の映像信号に基づく平面画像と、予め用意された信号変換によらない真性立体視用信号を含む第２の映像信号に基づく立体視可能な画像とを、同一画面内で表示するよう合成する合成部と、
前記表示部に、前記合成部が合成した映像を表示するための制御信号を入力する制御部と、を具備し、
前記第２の映像信号は、起動時、あるいは前記第１の映像信号の入力開始時、もしくは前記第１の映像信号への入力切り替え時、または前記第１の映像信号からの入力切り換え時に、前記合成部により合成される表示装置。
【請求項５】
前記合成部は、前記第１の映像信号に予め用意された前記第２の映像信号を重ね合わせる請求項４に記載の表示装置。
【発明の詳細な説明】
【技術分野】
【０００１】
本発明の実施の形態は、視差画像を出力する映像出力装置、表示方法及び表示装置に関する。
【背景技術】
【０００２】
多視差画像（３次元画像）を表示する立体画像表示装置が開発され、普及しつつある。
【０００３】
反面、３次元画像（多視差）画像データを含み、立体画像として再生可能なコンテンツ（映像ソフト）は、十分に供給されている、とまではいえない。
【先行技術文献】
【特許文献】
【０００４】
【特許文献１】特開平７−２９８３１１号公報
【発明の概要】
【発明が解決しようとする課題】
【０００５】
上述の背景から、立体画像が再生可能な立体画像表示装置により、３次元画像データを含むコンテンツを再生した場合にどのように見えるかをイメージできる視聴者は、現時点では比較的少数である、と想定される。
【０００６】
本発明の目的は、立体画像を再生可能な立体画像表示装置において、視聴者が、３次元画像データを含むコンテンツを再生した立体画像を視聴できる機会を増大できる視差画像を出力する映像出力装置、表示方法及び表示装置を提供することである。
【課題を解決するための手段】
【０００７】
実施形態によれば、映像出力装置は、第１の映像信号に基づく平面画像と、予め用意された信号変換によらない真性立体視用信号を含む第２の映像信号に基づく立体視可能な画像とを、同一画面内で表示するよう合成する合成部と、前記合成部が合成した映像を表示するための制御信号を入力する制御部と、を具備し、前記第２の映像信号に基づく前記立体視可能な画像は、起動時、あるいは前記第１の映像信号の入力開始時、もしくは前記第１の映像信号への入力切り替え時、または前記第１の映像信号からの入力切り換え時に、前記第１の映像信号に基づく平面画像と、前記合成部により合成される。
【図面の簡単な説明】
【０００８】
【図１】実施形態を適用する表示装置（映像出力装置）の一例を示す概略図。
【図２】実施形態を適用する映像出力装置において視差画像を生成する構成の一例を示す概略図。
【図３】実施形態を適用する視差画像生成方法の一例を示す概略図。
【図４】実施形態を適用する視差画像生成方法の一例を示す概略図。
【図５】実施形態を適用する映像出力装置の信号出力の一例を示す概略図。
【図６】実施形態を適用する映像出力装置の信号出力の一例を示す概略図。
【図７】実施形態を適用する映像出力装置の映像出力（表示信号）の一例を示す概略図。
【図８】実施形態を適用する映像出力装置の映像出力（表示信号）の一例を示す概略図。
【図９】実施形態を適用する表示装置（映像出力装置）の一例を示す概略図。
【発明を実施するための形態】
【０００９】
以下、実施の形態について図面を参照して説明する。
【００１０】
図１は、実施形態を適用する表示装置の一例を示す。なお、以下に説明する要素や構成あるいは機能は、ハードウエアで実現するものであってもよいし、マイクロコンピュータ（処理装置、ＣＰＵ）等を用いてソフトウエアで実現するものであってもよい。
【００１１】
表示装置１は、例えば入力映像信号を立体表示可能な３Ｄ映像再生装置であり、例えばタブレットＰＣ（Personal Computer）やデジタルフォトフレーム、あるいはスマートフォンと称される多機能携帯端末装置、もしくはテレビ受信装置等を含む。なお、３Ｄ映像については、後段に説明するが、多視差画像の表示による裸眼３Ｄ表示（シャッタ機構を視聴者に要求しない）が可能である。
【００１２】
表示装置１は、入力画像信号処理部１１、奥行き情報生成部１３、多視差画像生成部１５、多視差画像変換部１７、記憶部（真性立体画像信号入力保持部）１９、出力画像選択合成部２１、制御部２３、立体画像変換部２５、平面表示装置（表示パネル）２７、ＧＵＩ（Graphical User Interface）処理部２９及び操作入力部３１を備える。なお、視聴者による選択指示入力のため、操作入力部３１は、リモコン（リモートコントローラ）３３からの選択指示あるいは入力指示を受けつけ、その内容に対応する制御コマンドを制御部２３に供給する。
【００１３】
表示パネル（平面表示装置）２７は、マトリクス状に配列された画素を含むパネル本体（平面表示部）２７ａと、パネル本体２７ａに対向して配置され、上記画素からの光線を制御する複数の射出瞳を有する光線制御素子２７ｂと、を含む。
【００１４】
パネル本体２７ａは、例えば液晶パネルやプラズマディスプレイパネル等を用いることができる。
【００１５】
光線制御素子２７ｂは、例えばパララクスバリアあるいは視差バリアと呼称され、個々の射出瞳が、同一位置（瞳）を通じて目視される画像であっても、視聴者が見る角度により異なる画像が見えるように光線を制御する。具体的には、例えば左右視差（水平視差）のみを与える場合には、複数のスリットを有するスリット板あるいはレンチキュラーシート（シリンドリカルレンズアレイ）が用いられる。左右視差と上下視差（垂直視差）とを実現する場合には、ピンホールアレイあるいはレンズアレイが用いられる。すなわち、スリット板のスリット、シリンドリカルレンズアレイのシリンドリカルレンズ、ピンホールアレイのピンホール、レンズアレイのレンズが各射出瞳となる。なお、本実施形態においては、表示パネル２７は、複数の射出瞳を有する光線制御素素子２７ｂを含む例を説明するが、例えばパララックスバリアを透過型液晶表示装置などにより電子式に発生させ、バリアパターンの形状や位置等を、電子的に任意に変更することも可能であり、後述する立体画像用表示用の画像が表示可能な表示装置であればよい。
【００１６】
入力画像信号処理部１１は、入力された放送事業者または配信事業者が提供する２次元画像信号すなわち映像コンテンツ、例えばタイトル３または符号化された多視差画像信号５を受けつけ、復号する。
【００１７】
奥行き情報生成部１３は、入力画像信号処理部１１が受けつけ、復号された２次元画像信号（タイトル）３または多視差画像信号５を解析し、画像の奥行き情報（デプス情報）を生成する。奥行き情報は、図２に概略を示すが、例えば特開２０００−２６１８２８号公報に記載したと同様に、背景領域抽出部１３１、動きベクトル検出部１３３、背景動きベクトル検出部１３５、相対動きベクトル算出部１３７を設け、背景領域抽出部１３１により入力映像信号（２次元映像信号）すなわちタイトル３から背景領域画像信号を抽出して背景動きベクトルを求め、動きベクトル検出部１３３により、背景領域抽出部１３１で分離した背景領域以外の領域の画像信号から動きベクトル（映像動きベクトル）を求め、背景動きベクトル検出部１３５により、背景領域抽出部１３１が求めた背景動きベクトルと動きベクトル検出部１３３が求めた映像動きベクトルから代表背景動きベクトルを算出し、相対動きベクトル算出部１３７により、動きベクトル検出部１３３が求めた映像動きベクトルと背景動きベクトル検出部１３５が求めた代表背景動きベクトルから、相対動きベクトルを求める（動きベクトルから代表動きベクトルが減算する）ことにより、得ることができる。
【００１８】
奥行き情報は、多視差画像生成部１５により、例えば９方向から見た多視差画像の生成に用いられる。すなわち、多視差画像生成部１５は、奥行き情報が手前にあると示されている物体（例えば図３に示す画面表示４１中の物体４３）について、例えば左の方向から見た視差画像として、その物体４３は背景４５にある物体よりも右側にずれて見えるので右側にずらすような処理を画像に対して施すことにより、左の方向から見た視差画像を生成する。このようにして、水平方向に左から右にかけて９個の位置から見た視差画像を生成する。物体の位置をずらす処理を行うことは、本来ならばその背景の画像が見えるはずであるが、入力された画像にその情報はないため、単に画像を歪めるような処理となる。
【００１９】
多視差画像生成部１５、入力画像信号処理部１１から供給される画像信号に奥行き情報が含まれている場合には、奥行き情報生成部１３によって生成された奥行き情報を用いず、入力画像信号処理部１１から多視差画像生成部１５に供給される画像信号（破線で示す画像信号）を用いて、多視差画像を生成する。
【００２０】
なお、図４に示すように、入力画像信号処理部１１に入力される通常の画像５１は、上述の奥行き情報生成部１３及び多視差画像生成部１５により２視差画像５５または多視差画像５７に変換される。また、予め２視差画像５３として入力される画像信号は、多視差画像生成部１５により多視差画像５７に変換される。
【００２１】
このような２視差画像５５（５３）から表示された表示映像を立体視する（立体映像として知覚する）ためには、視聴者は、３Ｄメガネ等のシャッタ機構を必要とする。
【００２２】
一方、多視差画像生成部１５により生成される多視差画像５７は、裸眼３Ｄと称され、上述のシャッタ機構を必要とすることなく、立体映像として、視聴者が、知覚することができる。
【００２３】
多視差画像変換部１７は、例えば、入力された多視差画像信号５（５ａ、５ｂ、５ｃ、５ｄ）を、表示パネル２７による表示に適した多視差画像に変換して出力する。例えば、入力された多視差画像信号の視差数をＮ、表示パネル２７の表示に適した視差数をｎとすると、Ｎ＞ｎの場合は入力された多視差画像信号を間引いて視差数がｎの多視差画像として出力し、Ｎ＜ｎの場合は入力された多視差画像信号を用いて補間することにより、視差数がｎの多視差画像を生成して出力する。Ｎ＝ｎの場合は、入力された多視差画像信号をそのまま多視差画像として出力する。なお、多視差画像信号５（５ａ、５ｂ、５ｃ、５ｄ）は、放送またはネットワークを介して配信された画像信号であってもよいし、再生されたビデオ画像信号、またはパーソナルコンピュータ（Personal Computer，以下、ＰＣと略称する）により生成した多視差画像信号であってもよい。
【００２４】
記憶部（真性立体画像信号入力保持部）１９は、例えばロゴマークや製品名あるいは、案内画面等である起動画面を表示する際、表示パネル２７が表示可能な立体画像（多視差画像）を表示するために用いる真性３Ｄデータ（真性立体画像信号）を保持する。真性３Ｄデータは、３Ｄ（立体画像）カメラ等を介して予め生成された立体画像信号であり、上述の多視差画像生成部により生成される変換された多視差画像とは異なる。なお、表示装置１の主電源がオンされた直後の起動処理中、あるいは入力画像信号処理部１１に入力される画像信号の供給元の切り換え、例えば受信中のタイトルの再生から外部に接続されたレコーダ装置（録画再生装置）等が保持するタイトルの再生への切り換え時や受信中のチャンネル（放送局）の切り換え時に、記憶部１９が保持する真性３Ｄデータを再生した立体画像が表示パネル２７に表示される。これにより、視聴者に、表示パネル２７が表示可能な立体画像の特徴や通常の画像（２Ｄ）との相違を報知することができる。すなわち、視聴者に、３Ｄデータ映像への興味を持たせることができる（３Ｄ映像を見てみよう、という意識を持たせることができる）。
【００２５】
出力画像選択合成部２１は、制御部２３からの制御信号に基づいて、多視差画像生成部１５から出力された多視差画像、多視差画像変換部１７から出力された多視差画像のいずれかの多視差画像を選択し、この選択された多視差画像と記憶部（真性立体画像信号入力保持部）１９から供給される真性３Ｄデータを再生した立体画像信号に基づく多視差画像とを、立体画像変換部２５に送出する。なお、操作入力部３１を介する視聴者からの選択指示入力を必要とする場合、ＧＵＩ処理部２９により生成される選択指示入力画面も同時に表示される。
【００２６】
制御部２３は、視聴者が操作することにより発生する信号、例えばリモコン３３を操作することにより発生される信号（例えば、赤外線による信号）を受けつけた操作入力部３１からの制御コマンドに対応する制御信号を発生する。この制御部２３からの制御信号によって出力画像選択合成部２１を制御するとともに、例えば表示装置１の電源がオンされたときに、記憶部（真性立体画像信号入力保持部）１９が保持する真性３Ｄデータを再生した多視差画像を、立体画像変換部２５に送出する。
【００２７】
立体画像変換部２５は、出力画像選択合成部２１から供給された多視差画像に、パネル本体２７ａの個々の射出瞳が出力すべき画素の並び替え等の処理を行い、複数の視差画像としてパネル本体２７ａに送る。なお、各視差画像が３個のサブ画素（例えば、Ｒ（赤）、Ｇ（緑）、Ｂ（青））から構成されている場合には、画素単位の情報を、サブ画素単位で並び替える処理を行って、立体画像表示用の画像を生成する。また、特開２００６−９８７７９号公報に示すように、視差画像のうち実際に必要な部分のみをまとめることにより、視差画像の伝送や圧縮に向くフォーマット（例えばタイル画像）に変換してもよい。
【００２８】
図５（ａ），（ｂ）に、表示装置１の起動時あるいは入力切り換え時の画面表示の切り換えの概念を示す。
【００２９】
表示装置１の電源がオンされた場合すなわち起動時、または入力切り換え時には、表示パネル２７には、ロゴマークや製品名あるいは案内画面等である起動画面として『３Ｄ』映像１０１が表示される。続いて、電源オン時の起動ルーチンに従うチェックの後、前回の電源オフ時に選択されている機能で、映像表示が開始される。このとき、電源オフ時に利用していた機能としてテレビ放送が選択されている場合、テレビ放送を受信して起動するため、表示パネル２７の画面表示が、通常画像（「２Ｄ」）１０３に切り換わる。
【００３０】
以下、視聴者により、リモコン３３または操作入力部３１から３Ｄ映像の再生指示（３Ｄ選択指示入力）があると、表示パネル２７の画面表示１０７は、（起動時に）選択されている『ＣＨ』が供給するタイトルを再生して表示する通常画像（「２Ｄ」）１０７ａ（１０３の映像がそのまま出力される）に、例えば「（起動時に）選択されている『ＣＨ』」を表示する案内表示であり、記憶部（真性立体画像信号入力保持部）１９が保持する真性３Ｄデータを再生した『３Ｄ』映像１０７ｂを合成した表示となる。すなわち、通常画像（「２Ｄ」）と真性３Ｄデータを再生した『３Ｄ』映像とを、同一画面内に表示する。
なお、図５（ｂ）に示すように、前回の電源オフ時に選択されている機能が、例えばレコーダ装置からの記録済みデータの再生である場合、起動画面として『３Ｄ』映像１０１が表示された以降、例えばテレビ放送のタイトルを示すサムネイル画面部分が「２Ｄ」表示１１１ａであり、その録画日時等を示す案内表示や視聴者自身が撮影したビデオカメラからの入力映像のサムネイル部分が『３Ｄ』表示１１１ｂである案内画面１１１が表示される。また、例えば視聴者が、テレビ放送を録画したタイトルの再生を選択すると、タイトル（録画されたテレビ放送）の表示が「２Ｄ」表示１１３ａで、その「ＣＨ」の表示や録画内容の表示等が『３Ｄ』表示１１３ｂとなる再生画面（表示）１１３が表示される。
【００３１】
より詳細には、図６に示すように、表示装置１の電源がオンされる［０１］と、スタートアップ（起動）時または待機時の『３Ｄ』映像が表示される［０２］。
【００３２】
次に、視聴者から「３Ｄ映像」を表示する要求すなわち表示選択指示の有無がチェック［０３］され、選択指示があると［０３−ＹＥＳ］と、記憶部が保持する真性３Ｄデータが再生され、通常画像とともに、表示される［０４］。
【００３３】
以下、視聴者が選択した映像信号が再生され、表示される［０５］。
【００３４】
なお、スタートアップ（起動）時または待機時の『３Ｄ』映像の表示に続いて、視聴者からの選択指示が入力されない場合［０３−ＮＯ］、通常画像信号に従う「２Ｄ」映像が表示されることはいうまでもない［０６］。
【００３５】
図７は、表示パネルに、２Ｄ画像と３Ｄ画像が同時に表示される際の表示例を示す。
【００３６】
図７に示す表示７０１は、表示装置１が、外部から入力された複数のタイトルを視聴者が選択する状態を示す。例えば、視聴者がタイトル［７１１］を選択すると、タイトルのサムネイル表示［７１１ａ］は通常（「２Ｄ」）表示され、サムネイル表示［７１１ａ］の周囲あるいは選択されたタイトルであることを示す枠（縁取り）表示［７１１ｂ］は、記憶部１９が保持する表示画面の真性３Ｄデータに従う『３Ｄ』表示となる。また、選択された（または選択のためのフォーカスが当てられた状態の）タイトル［７１１］の説明を表示する案内表示部［７１１ｃ］は、記憶部１９が保持する表示画面の真性３Ｄデータに従う『３Ｄ』表示となる。
【００３７】
これにより、視聴者に、３Ｄデータ映像への興味を持たせることができる（３Ｄ映像を見てみよう、という意識を持たせることができる）。
【００３８】
図８は、表示パネルに、２Ｄ画像と３Ｄ画像が同時に表示される際の表示例を示す。
【００３９】
図８に示す表示８０１は、表示装置１が、例えばレコーダ装置が録画した複数のタイトルが、視聴者により選択可能に表示された状態を示す。
【００４０】
図８においては、録画されているタイトルの表示８１１〜８１５について、サムネイル（タイトルの縮小）部分８１１ａ，８１２ａ，８１３ａ，８１４ａ及び８１５ａは、通常（「２Ｄ」）画像で表示される。
【００４１】
一方、個々のタイトルを表示する際の枠（縁取り）８１１ｂ，８１２ｂ，８１３ｂ，８１４ｂ及び８１５ｂ、ならびに各タイトルの説明（［ｃｈ］名、日時、区切り線表示）等８１１ｃ，８１２ｃ，８１３ｃ，８１４ｃ及び８１５ｃは、記憶部１９が保持する表示画面の真性３Ｄデータに従う『３Ｄ』表示となる。
【００４２】
従って、視聴者に、３Ｄデータ映像への興味を持たせることができる（３Ｄ映像を見てみよう、という意識を持たせることができる）。
【００４３】
図９は、図１に示した表示装置を、テレビ受信装置に適用する具体例を示す。
【００４４】
の別の一例を説明する。
【００４５】
図９に示すＴＶ装置（映像再生装置）９０１は、例えば空間波や有線伝送により供給されるテレビジョン放送や音声（オーディオ）及び映像（ビデオ）を含むコンテンツ、すなわち番組を受け付け、再生する。また、ＴＶ装置９０１は、インターネット（ネットワーク）網１００１を通じて供給されるコンテンツも再生できる。なお、ＴＶ装置９０１は、例えばＨＤＤ（ハードディスク）のような記録媒体とエンコーダとを含み、コンテンツを記録可能に形成されてもよい。また、以下に説明する実施の形態は、ＴＶ装置を例とするが、ディスプレイ（モニタ装置）とスピーカとを分離して、例えばＳＴＢ（セットトップボックス）と呼ばれるチューナユニットとすることもできる。
【００４６】
ＴＶ装置９０１において、チューナ／入力部９１１が取得したタイトル（コンテンツ）または外部入力信号は、分離（Ｄｅｍｕｘ）部９１２により、映像（ビデオ）データと音声（オーディオ）データとに分離される。なお、チューナ／入力部９１１は、入力映像信号すなわちコンテンツが通常映像（２Ｄ）信号であるか、立体映像（３Ｄ）信号であるかを、入力映像信号に付属する制御信号（あるいはＥＰＧ（電子番組表）の記述）に従い、識別できる。
【００４７】
分離部９１２が分離した映像（ビデオ）データは、映像（ビデオ）処理ブロック９２１の映像（ビデオ）デコーダ９２２によりデコードされ、デジタル映像（ビデオ）信号として出力される。なお、チューナ／入力部９１１が受けつけるコンテンツまたは外部入力信号が、例えばビデオカメラ等からの映像及び音声である場合、信号の入力方式に依存するが、分離部９１２による分離が必要ない（スルーできる）ことは、いうまでもない。
【００４８】
映像デコーダ９２２がデコードした映像（ビデオ）データは、映像出力装置を表示可能に処理する映像（ビデオ）処理部９２３に入力され、後段のディスプレイ９２４が表示可能に、所定の解像度及び出力方式、例えばインターレース（ｉ）／ノンインターレース（ｐ）等に変換され、ディスプレイ９２４に供給される。なお、映像（ビデオ）処理部９２３の出力は、例えば外部モニタ装置あるいは投影装置（プロジェクタ装置）等が接続可能な、出力端９２５に出力されてもよい。
【００４９】
映像（ビデオ）処理部９２３の後段にはまた、映像の立体的な表示のため、映像信号から立体映像信号を得る立体映像処理部９２６が設けられている。立体映像処理部９２６については、図１により説明した奥行き情報生成部１３、多視差画像生成部１５、多視差画像変換部１７、及び出力画像選択合成部１９、を少なくとも含む。なお、入力画像信号が２視差信号である場合、直接立体映像処理部９２６の入力端に入力されてもよい。また、立体映像処理部９２６は、主制御ブロック９５１からの制御情報に従い、予め設定されている表示方式に応じた形式、例えばｓｉｄｅ−ｂｙ−ｓｉｄｅ方式、Ｆｒａｍｅ−Ｓｅｑｕｅｎｔｉａｌ方式あるいはＡｂｏｖｅ−Ｂｅｌｏｗ方式等の映像出力信号を出力する。もちろん、３Ｄ（立体映像）表示装置において広く用いられる偏向メガネ（シャッタ）が不要なレンチキュラレンズを用いる表示装置においても同様である。
【００５０】
一方、分離部９１２が分離した音声データは、音声（オーディオ）処理ブロック９３１の音声（オーディオ）デコーダ９３２によりデコードされ、デジタル音声（オーディオ）信号として出力される。
【００５１】
音声デコーダ９３２がデコードした音声（オーディオ）信号は、音声出力装置が再生可能に処理する音声（オーディオ）処理部９３３を通過し、アナログの音声（オーディオ）出力を得るＤ−Ａコンバータ９３４に入力される。
【００５２】
Ｄ−Ａコンバータ９３４からのアナログの音声（オーディオ）出力は、例えばスピーカ９３５に入力される。なお、Ｄ−Ａコンバータ９３４からの出力は、ＡＶ（Audio Visual）アンプ等が接続可能な出力端９３６に、さらに分岐されてもよい。
【００５３】
上述したＴＶ装置９０１において、チューナ部９１１、分離部９１２、映像（ビデオ）処理ブロック９２１及び音声（オーディオ）処理ブロック９３１のそれぞれは、主制御ブロック９５１により制御され、所定の動作を実行する。
【００５４】
主制御ブロック９５１は、例えばＣＰＵ（Central Processing Unit，演算装置）あるいはマイクロコンピュータを含む。主制御ブロック９５１は、動作プログラムを保持したＲＯＭ及びワークメモリとして機能するＲＡＭを少なくとも含むメモリユニット９５２、インターネット網１００１との間の接続、すなわちインターネット網１００１からのさまざまな情報の取得、インターネット網１００１に対するユーザからのアクセス等を制御するネットワーク（ＬＡＮ）制御部９５３及び外部から真性３Ｄデータ（真性立体画像信号）あるいは視聴者が用意した映像情報等の取り込みに利用可能なリーダ・ライタ９５４を、少なくとも含む。なお、リーダ・ライタ９５４は、例えばＳＤ（Secure Digital）カードに代表される半導体メモリ装置が保持するデータの読み込みが可能である。
【００５５】
主制御ブロック９５１にはまた、ユーザからの制御入力を受け付ける操作入力部９０３が接続される。
【００５６】
操作入力部９０３は、例えばチューナ（入力）部９１１が選択するチャンネルを特定するためのチャンネルキー（ボタン）や電源のオン／オフに用いる電源スイッチあるいはリモートコントローラ（以下、リモコンと称する）９０５からの指示や制御入力を受け付ける受信部、等を少なくとも含む。また、文字や記号あるいは数字等の入力を可能とするキー操作入力部（キーボード）等、が接続されてもよい。
【００５７】
以下、リモコン９０５による制御入力を例に、立体表示と通常表示の切り替えを説明する。
【００５８】
リモコン９０５は、立体表示と通常表示を切り替えて表示させるための選択信号を出力可能な選択入力部、例えば入力ボタン（キー）９０５ａを含み、ユーザによる立体表示の選択すなわち切り替え指示を、主制御ブロック９５１に入力できる。なお、リモコン９０５は、立体表示の際に、予め用意された複数段階の奥行感の変更が可能に、視聴者の要求に応じて、奥行感の変更を設定するための設定ボタン（キー）９０５ｂを有することが好ましい。
【００５９】
リモコン９０５の操作により立体表示が選択された場合、映像（ビデオ）処理部９２３の出力は、ディスプレイ９２４または出力端９２５に出力される前段で、立体映像処理部９２６へ入力され、後段に詳述する立体映像信号に変換され、その後ディスプレイ９２４または出力端９２５に出力される。
【００６０】
図９に示したＴＶ装置においては、図５（ａ），（ｂ）及び図７、図８により説明した通常画像（「２Ｄ」）と、リーダ・ライタ９５４を介して供給される真性３Ｄデータ（真性立体画像信号）に基づく『３Ｄ』画像を、同時に（同一画面内）に表示することができ、これにより、視聴者に、３Ｄデータ映像への興味を持たせることができる（３Ｄ映像を見てみよう、という意識を持たせることができる）。
【００６１】
なお、詳述しないが、ＴＶ装置１は、リーダ・ライタ９５４を、ＵＳＢ（Universal Serial Bus）端子を経由するＵＳＢ接続とすることもでき、その場合、ＵＳＢ接続が可能な１または複数のインタフェース、例えばＤＬＮＡ（Digital Living Network Alliance（登録商標））規格等に準拠したネットワークコントローラや、図示しないBluetooth（登録商標）等を経由して、データの受け渡しが可能なレコーダ装置やＨＤＤ装置、もしくは携帯可能な端末装置が接続されてもよいことはいうまでもない。
【００６２】
以上説明した通り、本提案を採用することで、予め用意した真性３Ｄデータを再生した立体画像をタイトル（コンテンツ）を再生表示する際、同時に（同一画面内に）表示することができる。これにより、視聴者に、立体画像の特徴や通常の画像（２Ｄ）との相違を報知することができる。すなわち、視聴者に、３Ｄデータ映像への興味を持たせることができる（３Ｄ映像を見てみよう、という意識を持たせることができる）。
【００６３】
なお、図１及び図９に示した表示装置の概念は、表示部を有しない映像再生装置、例えばＤＶＤプレイヤ装置、あるいは映像記録再生装置、例えばレコーダ装置等にも適用可能であることはいうまでもない。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１…表示装置（デジタルフォトフレーム／タブレットＰＣ／スマートフォン）、３…２次元（２Ｄ）画像信号、５…多視差画像信号、１１…入力画像信号処理部、１３…奥行き情報生成部、１５…多視差画像生成部、１７…多視差画像変換部、１９…記憶部（真性立体画像信号入力保持部）、２１…出力画像選択合成部、２３…制御部、２５…立体画像変換部、２７…表示パネル（平面表示装置）、２９…ＧＵＩ処理部、３１…操作入力部、３３…リモコン（リモートコントローラ）、１３１…背景領域抽出部、１３３…動きベクトル検出部、１３５…背景動きベクトル検出部、１３７…相対動きベクトル算出部、９０１…テレビ装置（表示装置）。
【図１】
0005707120.tif 000002
【図２】
0005707120.tif 000003
【図３】
0005707120.tif 000004
【図４】
0005707120.tif 000005
【図５】
0005707120.tif 000006
【図６】
0005707120.tif 000007
【図７】
0005707120.tif 000008
【図８】
0005707120.tif 000009
【図９】
0005707120.tif 000010